(57)【要約】【課題】  １つの品番でいずれの排水方式にも対応可能であり、現場施工時に排水方式の変更を容易に行なうことができるターントラップ式の水洗便器装置を提供することにある。【解決手段】  前端部が便器本体のボウル部１から延出される排水管部２に接続されるトラップ部６の終端１４をアーム部材９の駆動により回転させて排水管部２と外部排水管４０とを連通させるトラップ機構をケース体３内に収容したターントラップ式の水洗便器装置であって、このケース体３は、便器本体の後部側に設けられる接続開口である壁排水用の接続開口部５と、底面に設けられる接続開口である床排水用の接続開口部４とを有するとともに、壁排水用の接続開口部５と床排水用の接続開口部４のいずれかが閉塞された状態に形成されている。【選択図】  図１
2005213765.tif 000002
【特許請求の範囲】
【請求項１】
前端部が便器本体のボウル部から延出される排水管部に接続されるトラップ部と、便器後方のケース体内に収容されて、前記トラップ部の終端を駆動手段により上下に回転させて前記排水管部と外部排水管とをケース体を介して連通させるトラップ機構を具備したターントラップ式の水洗便器装置であって、
前記ケース体は、後部側に設けられる壁排水用の接続開口部と、底面に設けられる床排水用の接続開口部との２つの接続開口部を有し、２つの接続開口部のうち外部排水管と連通しない側が閉塞可能に形成されてなることを特徴とするターントラップ式の水洗便器装置。
【請求項２】
トラップ部の終端が前記壁排水用の接続開口部と連通するよう前記駆動手段の動作を駆動制御する壁排水モードと、トラップ部の終端を前記壁排水モードよりもさらに下方に回転させて、前記床排水用の接続開口部と連通するよう前記駆動手段の動作を駆動制御する床排水モードとの２つの駆動モードを切換可能に制御する駆動制御部を有することを特徴とする請求項１に記載のターントラップ式の水洗便器装置。
【請求項３】
前記駆動手段は、前記トラップ部に連結して前記トラップ部の終端を回転させるアーム部材と、アーム部材を回転駆動するモータとを有し、前記駆動制御部は前記モータと電気的に接続するモータ制御部であることを特徴とする請求項２に記載のターントラップ式の水洗便器装置。
【請求項４】
前記アーム部材には当該アーム部材と一体に回転する被検知部が配され、ケース内の被検知部の回転軌道上には被検知体を検知するための検知手段が配されてなり、前記モータ制御部は、前記検知手段と電気的に接続されて、前記検知手段の検知情報に基づいて前記２つの駆動モードの駆動制御を行うものであることを特徴とする請求項３に記載のターントラップ式の水洗便器装置。
【発明の詳細な説明】
【技術分野】
【０００１】
本発明は、ターントラップ式の水洗便器装置に関するものであって、より詳しくは、壁排水と床排水のいずれにも対応することのできるターントラップ式の水洗便器装置に関するものである。
【背景技術】
【０００２】
従来のターントラップ式の水洗便器装置としては、図６に示すような便器本体のボウル１から延びる排水路にトラップ部３０を配設した水洗便器装置であって、トラップ部３０が、回転軸３１上に支持され、自由端とした終端が上下方向に回転及び反転自在とされるとともに、トラップ部３０は、外部配水管４０に連通するケース体３の内部に収容され、回転軸３１には駆動源が接続されるものが知られている。この水洗便器装置では、ボウル１の底部の排水口１ａから便器後方に向かって排水管部２が延びており、この排水管部２の終端と外部排水管４０に接続される便器底部の排出口５との間には、蛇腹状の伸縮及び屈曲自在なホースで形成されたトラップ部３０が設けられており、このトラップ部３０として設けられたホースは、排出口５に連通する内部空間を有するケース体３に収容され、これらの排水管部２、トラップ部３０、ケース体３及び排出口５によって水洗便器の排水路が形成されている。このような構成とすることで、ポンプ給水方式の水洗便器装置では必要不可欠であったロータンクの省略が可能となり、水洗便器装置の構成を簡略化することが可能となる。その結果、限られたトイレ空間であっても設備に制約が課せられることがなく、トイレ空間の有効利用を図ることができる（特許文献１）。
【０００３】
ところで、水洗便器容器の排水の形態として、トイレ空間の壁側に排水口を設ける壁排水方式と床側に排水口を設ける床排水方式とがあり、上記のようなターントラップ式の水洗便器装置においても、それぞれの排水方式に対応して同一の製品に対して２つの品番が必要となっていた。また、このような品番の異なる同一製品は、外観上は略同一であるため間違いやすく、施工現場で間違いを認識した場合には再度の発注が必要となって、納期の遅滞や交換のための費用が発生してしまうという問題があった。
【特許文献１】特開平１１−３１０９５０号公報
【発明の開示】
【発明が解決しようとする課題】
【０００４】
本発明は、このような点に鑑みてなされたものであり、その目的とするところは、１つの品番でいずれの排水方式にも対応可能であり、現場施工時に排水方式の変更を容易に行なうことができるターントラップ式の水洗便器装置を提供することである。
【課題を解決するための手段】
【０００５】
上記した課題を解決するために、本発明の請求項１に係るターントラップ式の水洗便器装置は、前端部が便器本体のボウル部から延出される排水管部に接続されるトラップ部と、便器後方のケース体内に収容されて、前記トラップ部の終端を駆動手段により上下に回転させて前記排水管部と外部排水管とをケース体を介して連通させるトラップ機構を具備したターントラップ式の水洗便器装置であって、前記ケース体は、後部側に設けられる壁排水用の接続開口部と、底面に設けられる床排水用の接続開口部との２つの接続開口部を有し、２つの接続開口部のうち外部排水管と連通しない側が閉塞可能に形成されてなることを特徴とする。
【０００６】
本発明の請求項２に係るターントラップ式の水洗便器装置は、トラップ部の終端が前記壁排水用の接続開口部と連通するよう前記駆動手段の動作を駆動制御する壁排水モードと、トラップ部の終端を前記壁排水モードよりもさらに下方に回転させて、前記床排水用の接続開口部と連通するよう前記駆動手段の動作を駆動制御する床排水モードとの２つの駆動モードを切換可能に制御する駆動制御部を有することを特徴とする。
【０００７】
本発明の請求項３に係るターントラップ式の水洗便器装置は、前記駆動手段は、前記トラップ部に連結して前記トラップ部の終端を回転させるアーム部材と、アーム部材を回転駆動するモータとを有し、前記駆動制御部は前記モータと電気的に接続するモータ制御部であることを特徴とする。
【０００８】
本発明の請求項４に係るターントラップ式の水洗便器装置は、前記アーム部材には当該アーム部材と一体に回転する被検知部が配され、ケース内の被検知部の回転軌道上には被検知体を検知するための検知手段が配されてなり、前記モータ制御部は、前記検知手段と電気的に接続されて、前記検知手段の検知情報に基づいて前記２つの駆動モードの駆動制御を行うものであることを特徴とする。
【発明の効果】
【０００９】
本発明の請求項１に係るターントラップ式の水洗便器装置によると、トラップ機構を収容するケース体は、後部側に設けられる壁排水用の接続開口部と、底面に設けられる床排水用の接続開口部との２つの接続開口部を有し、２つの接続開口部のうち外部排水管と連通しない側が閉塞可能に形成されてなるので、外部配水管と連通しない側の接続開口を閉塞することで、１つの品番でいずれの排水方式にも対応が可能となり、現場施工時での排水方式の変更を容易に行なうことができる。
【００１０】
本発明の請求項２に係るターントラップ式の水洗便器装置によると、上述した請求項１の効果に加えて、トラップ部の終端が前記壁排水用の接続開口部と連通するよう前記駆動手段の動作を駆動制御する壁排水モードと、トラップ部の終端が前記床排水用の接続開口部と連通するよう前記駆動手段の動作を駆動制御する床排水モードとの２つの駆動モードを切換可能に制御する駆動制御部を有するので、２つの駆動モードを適宜切り換えることにより、外部配水管と連通する側の接続開口部近傍にトラップ部の終端を移動させることができ、汚物や洗浄水のよりスムーズな排水を行うことが可能となる。
【００１１】
本発明の請求項３に係るターントラップ式の水洗便器装置によると、上述した請求項２の効果に加えて、前記駆動手段は、前記トラップ部に連結して前記トラップ部の終端を回転させるアーム部材と、アーム部材を回転駆動するモータとを有し、前記駆動制御部は前記モータと電気的に接続するモータ制御部であるので、モータ制御部によりモータの回転駆動を制御することによりアーム部を介してトラップ部の回転を制御でき、トラップ部の終端の回転制御を簡単な構造で、容易に行うことができる。
【００１２】
本発明の請求項４に係るターントラップ式の水洗便器装置によると、上述した請求項３の効果に加えて、前記アーム部材には当該アーム部材と一体に回転する被検知部が配され、ケース内の被検知部の回転軌道上には被検知体を検知するための検知手段が配されてなり、前記モータ制御部は、前記検知手段と電気的に接続されて、前記検知手段の検知情報に基づいて前記２つの駆動モードの駆動制御を行うものであるので、前記トラップ部の終端の回転制御の精度が向上し、いずれの排水モードの場合であってもよりスムーズな排水を行うことができる。
【発明を実施するための最良の形態】
【００１３】
（実施形態１）
本発明の第１の実施形態を図１に基づいて説明する。図１において１はボウル、１ａは排水口、２は排水管部、３はケース体、４は床排水用の接続開口部、５は壁排水用の接続開口部、６はトラップ部、７はトラップホース、８は終端部材、９はアーム部材、１０は回転軸部、１４は終端、１５は閉塞部材、１６はアタッチメント部材、４０は外部配水管である。
【００１４】
図１（ａ）及び（ｂ）は、第１の実施形態における壁排水時及び床排水時のターントラップ式の水洗便器装置の概略を示した断面図である。図１に示すように、ボウル１の底部の排水口１ａから便器後方に向かって排水管部２が延びており、この排水管部２の終端にはトラップ部６の一端が接続されている。
【００１５】
トラップ部６は、蛇腹構造により屈曲柔軟性を付与したトラップホース７と、トラップホース７の先端に取付けて密着される、比較的硬質の樹脂製あるいは金属製の終端部材８とからなる。この硬質な終端部材８には、回転軸部１０の回転を伝えるアーム部材９の一端が取付け固定されている。本実施形態におけるターントラップ式の水洗便器装置は、トラップ部６の終端１４を上下に回転させるための駆動手段を有し、この駆動手段は、トラップ部６に連結してトラップ部６の終端１４の回転させるアーム部材９と、アーム部材９を回転駆動するモータとから構成されている。この駆動手段の駆動制御部として、モータの回転動作の制御を行なうモータ制御部がモータと電気的に接続されている。
【００１６】
アーム部材９は、モータに連結された回転軸部１０に軸支され、モータの動作による回転軸部１０の回転にともなって、自由端とした終端１４が上下方向に回転及び反転自在に構成されている。すなわち、モータ制御部によりモータの回転駆動を制御することで、アーム部９を介してトラップ部６の回転を制御でき、トラップ部６の終端１４の回転制御を簡単な構造で容易に行うことができる。
【００１７】
また、トラップホース７の終端１４は、円弧状の湾曲面が形成されており、トラップ部６の回転方向の下方縁部からの汚水の流出とその横方向や後方へ流出を効果的に防止している。なお、トラップホース７の材質については特に制限はなく、樹脂、ゴム等の折れ曲がることなく、伸縮及び屈曲自在となる弾力性に富んだ適宜な材質を採用することができる。
【００１８】
トラップホース７を内部に収容するケース体３は、鉛直下方に突設される円筒状の床排水用の接続開口部４が底面に設けられ、後方に向かって突設される円筒状の壁排水用の接続開口部５が後部に設けられている。この床排水用の接続開口部４と壁排水用の接続開口部５の開口径は略同一に形成されている。
【００１９】
本実施形態におけるターントラップ式の水洗便器装置を設置するに際しては、同図（ａ）に示すように設置スペースの壁側に外部排水管４０がある場合には、閉塞部材１５により床排水用の接続開口部４を閉塞させる。閉塞部材１５は、円形底面の外周から側周部が立設される中空容器状で、その内径と床排水用の接続開口部４の外径が略同一に形成されており、この内径側に排水用の接続開口部４の先端部を嵌合させることにより閉塞を行なう。なお、この閉塞部材１５からの水漏れを防止するために、嵌合する部分にパッキン等を介在させてもよい。
【００２０】
また、壁排水用の接続開口部５には、円筒状のアタッチメント部材１６の一端部を嵌合させ、他端部を外部排水管４０に接続させる。アタッチメント部材１６の一端開口部の内径は、壁排水用の接続開口部５の外径と略同一であって壁排水用の接続開口部５の先端部と接合可能に形成されおり、他端開口部の終端は硬質樹脂や金属等からなる終端部が形成されて外部排水管４０と接合するための排水口となっている。このアタッチメント部材１６は一定の範囲で長さ方向に伸縮可能であり、壁排水用の接続開口部５から壁（外部配水管４０の排水口）までの距離に多少の変動があった場合にも対応することが可能となっている。また、本実施形態においては、床排水用の接続開口部４と壁排水用の接続開口部５の開口径は略同一に形成されており、後述する床排水用の場合であってもこのアタッチメント部材１６を用いることができる。このようにすることで、これらのボウル１の排水口１ａ、排水管部２、トラップ部６、ケース体３の壁排水用の接続開口部５及びアタッチメント部材１６によって水洗便器の排水路が形成される。
【００２１】
以上のように壁排水用に形成された本実施形態におけるターントラップ式の水洗便器装置においては、トラップ機構が作動しない初期の状態では、トラップ部６の終端１４が上方向きで回転方向にやや傾いた位置に配置され、ボウル１の内部にこの終端１４までの高さ（給水ライン）に水が溜められ、封水される。用便後にスイッチ等を介して排出動作が入力されると、図示しない電磁弁が開動作し、この電磁弁を通じてボウル１内に洗浄水が供給される。その後、モータ制御部によりモータが動作し、回転軸部１０が回転してトラップ部６の終端１４は下方に回転を始める。このモータ制御部には予めトラップ部６の終端１４の高さが壁排水用の接続開口部５と略同一の高さになるまで回転して停止するように設定されており、回転が停止した状態では終端１４は水平方向でやや下方に傾いた状態となるようにして、汚物及び洗浄水がトラップホース７からスムーズに流出するようにしている。
【００２２】
このトラップ部６の終端１４の回転にともなってボウル１内の汚物が洗浄水とともに終端１４から壁排水用の接続開口部５に流出し、アタッチメント部１６を経て外部配水管４０に排出される。汚物等が完全に排出された後には、モータにより回転軸部１０が逆回転し、トラップ部６を反転させて初期状態に戻し、再び、ボウル１の内部に給水ラインまで貯水して封水し、その後、電磁弁が閉動作する。
【００２３】
また、同図（ｂ）に示すように設置スペースの床側に外部排水管４０がある場合には、壁排水用の接続開口部５を閉塞部材１５により閉塞させる。この場合にも、閉塞された部分からの水漏れを防止するために、嵌合する部分にパッキン等を介在させてもよい。また、床排水用の接続開口部４には、円筒状のアタッチメント部材１６の一端部を嵌合させ、他端部を外部排水口４０に接続させる。このようにすることで、これらのボウル１の排水口１ａ、排水管部２、トラップ部６、ケース体３の床排水用の接続開口部４及びアタッチメント部材１６によって水洗便器の排水路が形成される。
【００２４】
以上のように壁排水用に形成された本実施形態におけるターントラップ式の水洗便器装置においては、トラップ機構の駆動態様に関しては上述の壁排出方式の場合と同様であるので説明は省略する。
【００２５】
このトラップ部６の終端１４の回転にともなってボウル１内の汚物が洗浄水とともに終端１４から壁排水用の接続開口部５近傍に流出し、壁排水用の接続開口部５は閉塞部材１５により閉塞されているので、汚物及び洗浄水はケース体３内を下方に向かって流れて床排水用の接続開口部４に流出する。その後、アタッチメント部１６を経て外部配水管４０に排出され、汚物が完全に排出された後には、モータにより回転軸部１０が逆回転し、トラップ部６を反転させて初期状態に戻し、再び、ボウル１の内部に給水ラインまで貯水して封水し、その後、電磁弁が閉動作する。
以上のように、トラップ機構を収容するケース体３は、後部側に設けられる壁排水用の接続開口部５と、底面に設けられる床排水用の接続開口部４との２つの接続開口部を有し、２つの接続開口部のうち外部排水管４０と連通しない側が閉塞可能に形成されているので、１つの品番でいずれの排水方式にも対応が可能となり、現場施工時に排水方式の変更を容易に行なうことができる。また、モータ制御部は、トラップ部６の終端１４は、高所側にある壁排水用の接続開口部５と略同一の高さで停止するよう設定されており、この壁排水用の接続開口部５を閉塞すれば、汚物等は下方の床排水用の接続開口部４に流動するので、１つのトラップ動作でいずれの排水方式にも適用することができる。
【００２６】
なお本実施形態においては、トラップ機構のトラップ動作はモータの制御部で予め定められているものであったが、これに限定するものではなく、たとえばアーム部材９の回転軌道上であって壁排水用の接続開口部５近傍に、モータの制御部と電気的に接続されたセンサを配置して、このセンサがアーム部材９を検知した場合にモータの駆動を停止するような構成であってもよい。
【００２７】
（実施形態２）
本発明の第２の実施形態を図２乃至図５に基づいて説明する。図２乃至図５において、２は排水管部、３はケース体、３ａは挿通孔、４は床排水用の接続開口部、５は壁排水用の接続開口部、６はトラップ部、７はトラップホース、８は終端部材、９はアーム部材、９ａは本体部、９ｂはホース挟着部、９ｃは挿通角孔、１３はモーター制御部、１４は終端、１５は閉塞部材、１６はアタッチメント部材、２０は被検知用部材、２１は円盤部、２２は被検知部、２２ａ、２２ｂは被検知片、２３は軸部、２５はケーシング、３０ａ、３０ｂは検知センサである。
【００２８】
図２は被検知用部材の概略を示す斜視図であり、図３は本実施形態における被検知用部材を配置したトラップ機構の概略を示す断面図である。図２に示すように、被検知用部材２０は、円盤部２１の一方の円形面の中心部から直角に軸部２３が突設されるとともに、断面Ｌ字型の２つの被検知片２２ａ、２２ｂを有する被検知部２２が、Ｌ型の先端が軸部２３と反対側を向くように円盤部２１の外縁近傍に設けられている。軸部２３の根元側は円柱状に形成され、その外周には複数の凹凸溝が設けられ、先端側は正四角柱状に形成されている。
【００２９】
図３に示すように、外部と挿通し内周に複数の凹凸溝を有する挿通孔３ａがケース体３の後部に設けられており、この挿通孔３ａの凹凸溝は被検知用部材２０の軸部２３に設けられる凹凸溝と嵌合しており、被検知用部材２０は軸部２３を回転軸としてケース体３に回動可能に設置されている。この被検知用部材２０は、ケース体３の側方に設置されたケーシング２５内に収容されている。
【００３０】
アーム部材９は、棒状の本体部９ａと、本体部９ａの一端部から９０°屈曲して設けられるリング状のホース挟着部９ｂとからなり、本体部９ａの他端側の先端はホース挟着部９ｂと反対側にやや突設して、この部分に正方形の挿通角孔９ｃが設けられている。被検知用部材２０の軸部２３の先端側は、この挿通角孔９ｃに嵌合し、被検知用部材２０とアーム部材９は一体に回動する構成となっている。
【００３１】
円盤部２１の円形面の中心部は、モータによって回転駆動される回転軸が接続固定されており、モータと電気的に接続されるモータ制御部１３を制御することにより、被検知用部材２０及びアーム部材９の回転及び反転を制御することができる。
【００３２】
図４（ａ）及び（ｂ）は、本実施形態における床排水モードのトラップ部６の軌道を示す断面図である。同図に示すように、ケーシング２５内の後部側には、２つの検知センサ３０ａ、３０ｂが所定の部位に設置されており、一方の検知センサ３０ａは、トラップ部６が作動しない通常の状態で前側の被検知片２２ａを検知し、他方の検知センサ３０ｂは、トラップ部６の終端１４が壁排水用の接続開口部５と略同一の高さになった状態で後側の被検知片２２ｂを検知し、終端１４がさらに下方に回転して床排水用の接続開口部４にスムーズに排出する位置になった状態で前側の被検知片２２ａを検知するように配されている。
【００３３】
２つの検知センサ３０ａ、３０ｂはモータ制御部１３と電気的に接続され、検知センサ３０ａ、３０ｂでの検出結果はモータ制御部１３に送信される。モータ制御部１３は検知センサ３０ａ、３０ｂの検知結果に基づいて、トラップ部６の終端１４が壁排水用の接続開口部５と連通するようアーム部材９の回転を駆動制御する壁排水モードと、トラップ部６の終端１４が床排水用の接続開口部４と連通するようアーム部材９の回転を駆動制御する床排水モードとに切り換えることができる。以下に詳述する。
【００３４】
床排水モードの場合は、壁排水用の接続開口部５が閉塞部材１５により閉塞されており、床排水用の接続開口部４にはアタッチメント部材１６が接続されている。この床排水モードでは、モータ制御部は、他方の検知センサ３０ｂから被検知片を検知した情報を２度受信した場合にモータの駆動を停止するように設定されている。
【００３５】
同図（ａ）に示すようなトラップ部６が作動しない通常の状態から、トラップ部６の回転が開始すると、前側の被検知片２２ａも一体に回転して後方に移動するため、一方の検知センサ３０ａは前側の被検知片２２ａを検知しなくなり、これによりモータ制御部はトラップ部の回転が開始したことを認識し、他方の検知センサ３０ｂからの情報を有効なものとする。その後、同図（ｂ）に示すようなトラップ部の終端１４が壁排水用の接続開口部５と略同一の高さに来たときは、他方の検知センサ３０ｂは、後側の被検知片２２ｂを検知するが、１度目の検知情報であるので、モータ制御部はこの検知情報には反応せず、次に前側の被検知片２２ａを検知した場合にモータの駆動を停止するように制御する。
【００３６】
図５（ａ）及び（ｂ）は、本実施形態における壁排水モードのトラップ部６の軌道を示す断面図である。同図に示すように、壁排水モードの場合は、床排水用の接続開口部４が排水口閉塞部材１５により閉塞されており、壁排水用の接続開口部５にはアタッチメント部材１６が接続されている。この壁排水モードでは、モータ制御部は、他方の検知センサ３０ｂから被検知片を検知した情報を１回目に受信した場合にモータの駆動を停止するように設定されている。上述したように、モータの駆動が停止した状態では、トラップ部６の終端１４は、汚物や洗浄水を床排水用の接続開口部４にスムーズに排出する位置になっている。
【００３７】
同図（ａ）に示すようなトラップ部６が作動しない通常の状態から、トラップ部６の回転が開始すると、床排水モードの場合と同様、一方の検知センサ３０ａは前側の被検知片２２ａを検知しなくなり、これによりモータ制御部はトラップ部の回転が開始したことを認識し、他方の検知センサ３０ｂからの情報を有効なものとする。その後、同図（ｂ）に示すようなトラップ部の終端１４が壁排水用の接続開口部５と略同一の高さに来たとき、他方の検知センサ３０ｂは、最初に後側の被検知片２２ｂを検知し、モータ制御部は、この検知信号に反応してモータの駆動を停止するように制御する。この状態では、トラップ部６の終端１４は、汚物や洗浄水を壁排水用の接続開口部５にスムーズに排出する位置になっている。
【００３８】
現場施工者は、このモータ制御装置と電気的に接続されたモード切替スイッチによりいずれかの排水モードを選択できるようになっている。
【００３９】
このように、モータ制御部は、トラップ部６の終端１４が壁排水用の接続開口部５と連通するようアーム部材９の回転を駆動制御する壁排水モードと、トラップ部６の終端１４が床排水用の接続開口部４と連通するようアーム部材９の回転を駆動制御する床排水モードとの切換可能な２つの駆動モードを有するので、外部配水管４０と連通する方の接続開口部近傍にトラップ部６の終端を移動させることができ、汚物や洗浄水のよりスムーズな排水を行うことが可能となる。
【００４０】
また、アーム部材９には、このアーム部材９と一体に回転する被検知部２２が設置され、ケース３内の被検知部２２の回転軌道上に被検知片２２ａ、２２ｂを検知するための検知センサ３０ａ、３０ｂが配されてなり、モータ制御部は、検知センサ３０ａ、３０ｂと電気的に接続されて、検知センサ３０ａ、３０ｂの検知情報に基づいて２つの排水モードの駆動制御を行うものであるので、前記トラップ部６の終端１４の回転制御の精度が向上し、いずれの排水モードの場合でもよりスムーズな排水を行うことができる。
【図面の簡単な説明】
【００４１】
【図１】第１の実施形態におけるターントラップ式の水洗便器装置の概略を示した縦断面図であり、（ａ）は壁排水時、（ｂ）は床排水時を示すものである。
【図２】第2の実施形態における被検知用部材の概略を示す斜視図である。
【図３】第2の実施形態における被検知用部材を配置したトラップ機構の概略を示す断面図。
【図４】第2の実施形態における床排水モードの場合のトラップ部の軌道を示す断面図である。
【図５】第2の実施形態における壁排水モードの場合のトラップ部の軌道を示す断面図である。
【図６】従来例を示す断面図である。
【符号の説明】
【００４２】
１    ボウル部
２    排水管部
３    ケース体
４    床排水用の接続開口部
５    壁排水用の接続開口部
６    トラップ部
９    アーム部材
１４  終端
４０  外部排水管
【図１】
2005213765.tif 000003
【図２】
2005213765.tif 000004
【図３】
2005213765.tif 000005
【図４】
2005213765.tif 000006
【図５】
2005213765.tif 000007
【図６】
2005213765.tif 000008